(57)【要約】【課題】毛やトゲなどを抜こうとする場合に、毛やトゲなどを確りと挟もうとして、操作部を手指で強く押圧しすぎても、毛やトゲの挟み面積が変わることなく、毛やトゲが滑らないようにすると共に、切れないようにして、毛やトゲを確実に引き抜くことのできる挟み具を提供する。【解決手段】曲げ変形し難い細長い一対の板状体１のそれぞれの一端を挟み部１ａとすると共に、これら板状体１のそれぞれの他端を支点部１ｂとし、これら挟み部１ａと支点部１ｂの間を操作部１ｃとし、前記挟み部１ａの内面を平面とした挟み面３とし、前記支点部１ｂの内面を平面とした当接面４とし、前記挟み面３どうしおよび当接面４どうしを重ね合わせたときに、これら挟み面３どうしおよび当接面４どうしが密着するようにし、さらに前記支点部１ｂに、前記板状体１どうしが離反する方向にバネ付勢する弾性体２を連結したものとしている。【選択図】    図２
2010012152.tif 000002
【特許請求の範囲】
【請求項１】
曲げ変形し難い細長い一対の板状体（１）のそれぞれの一端を挟み部（１ａ）とすると共に、これら板状体（１）のそれぞれの他端を支点部（１ｂ）とし、これら挟み部（１ａ）と支点部（１ｂ）の間を操作部（１ｃ）とし、前記挟み部（１ａ）の内面を平面とした挟み面（３）とし、前記支点部（１ｂ）の内面を平面とした当接面（４）とし、前記挟み面（３）どうしおよび当接面（４）どうしを重ね合わせたときに、これら挟み面（３）どうしおよび当接面（４）どうしが密着するようにし、さらに前記支点部（１ｂ）に、前記板状体（１）どうしが離反する方向にバネ付勢する弾性体（２）を連結したことを特徴とする挟み具。
【請求項２】
前記板状体（１）を弓なりに湾曲させ、前記挟み面（３）どうしおよび当接面（４）どうしを重ね合わせたときに、操作部（１ｃ）の内面どうしが接触せず、これらの間に隙間（Ｓ）が生じるようにしたことを特徴とする請求項１記載の挟み具。
【請求項３】
前記挟み面（３）と当接面（４）を、同一平面上に設けたものとしたことを特徴とする請求項１または２記載の挟み具。
【請求項４】
前記挟み面（３）を挟み部（１ａ）の内面に突出させて設けると共に、前記当接面（３）を支点部（１ｂ）の内面に突出させて設けたことを特徴とする請求項１〜３の何れかに記載の挟み具。
【請求項５】
前記弾性体（２）を二枚の弾性板の一端どうしを接合して基端とし、他端どうしを開放した開放端としたものとし、これら開放端のそれぞれの両側に設けた把持片（５）で、前記支点部（１ｂ）の両側に設けた側壁（６）を把持すると共に、前記開放端のそれぞれの先端側に設けた凹部（７）を、前記支点部（１ｂ）のそれぞれの外面側に設けた凸部（８）に嵌め込んだことを特徴とする請求項１〜４の何れかに記載の挟み具。
【発明の詳細な説明】
【技術分野】
【０００１】
この発明は、毛やトゲなどを抜くときに用いる毛抜き、各種の小物などを挟むときに用いるピンセット等の挟み具に関するものである。
【背景技術】
【０００２】
従来、この種の挟み具は、例えば図８、９に示すように、挟み体１１と把持体１２よりなるものとしている。挟み体１１は、弾性金属板よりなり、二股とした弾性挟み脚１３、１３の先端部を挟み部１３ａ、１３ａとし、後端部を固着部１３ｂ、１３ｂとし、中間部前半を操作部１３ｃ、１３ｃとし、中間部後半を挿入部１３ｄ、１３ｄとしている。把持体１２は、合成樹脂材よりなり、前記弾性挟み脚１３、１３間の最適な開き幅に設定された開口１４ａを形成すると共に、弾性挟み脚１３、１３の固着部１３ｂ、１３ｂの固着溝１４ｂを形成した挿入穴１４を有したものとしている。
【０００３】
そして、前記挟み具は、挟み体１１の弾性挟み脚１３、１３を後端部側から把持体１２の挿入穴１４に挿入し、弾性挟み脚１３、１３の挿入部１３ｄ、１３ｄの外面を、挿入穴１４の開口１４ａ端に接触させると共に、弾性挟み脚１３、１３の固着部１３ｂ、１３ｂを挿入穴１４の固着溝１４ｂに固着したものとしている。
【０００４】
さらに、この種の挟み具としては、例えば図１０に示すような毛抜きが存在し、ステンレスなどの弾性金属板をプレスで打ち抜き細長い板状部材を作り、ハンドル２１に該当する部分にデザインやローレットなどを施こした後にヘッド部２２、２２の曲げ加工を行うものとしている。次いで、板状部材をＵ字形に折り曲げて挟持部２３、２３を形成するものとしている。ハンドル２１、２１を別体に形成するときは、端部同士を熔接等で接合するものとしている。
【０００５】
そして、前記挟み具は、挟持部２３、２３が通常開いた状態とし、両挟持部２３、２３の間を上から下に電極を移動しながら放電加工により、挟持面２４、２４を形成するものとしている。
【特許文献１】実用新案登録第３０１５５７５号公報（図４、５）
【特許文献２】特開２００５−２２４４７５号公報（図１）
【発明の開示】
【発明が解決しようとする課題】
【０００６】
上記従来の図８、９に示した挟み具では、毛やトゲなどを抜こうとする場合には、操作部１３ｃ、１３ｃを手指で押圧し、挟み部１３ａ、１３ａを重ね合わせて、これら挟み部１３ａ、１３ａの挟み面１５、１５の間に毛やトゲなど挟み、この状態で引けばよい。
【０００７】
さらに、上記従来の図１０に示した挟み具でも、毛やトゲなどを抜こうとする場合には、ハンドル２１を手指で押圧し、挟持部２３、２３を重ね合わせて、これら挟持部２３、２３の挟持面２４、２４の間に毛やトゲなど挟み、この状態で引けばよい。
【０００８】
しかしながら、上記従来の何れの挟み具においても、毛やトゲなどを抜こうとする場合に、これらを確りと挟もうとして、操作部１３ｃ、１３ｃやハンドル２１を手指で強く押圧しすぎると、図１１、１２に示したように、これら操作部１３ｃ、１３ｃに続く挟み部１３ａ、１３ａやハンドル２１、２１に続く把持部２３、２３が撓むことによって、挟み面１５、１５の先端１５ａや挟持面２４、２４の先端２４ａが開いてしまい、毛やトゲが挟み面１５、１５の後端１５ｂや挟持面２４、２４の後端２４ｂで挟まれ、毛やトゲの挟み面積が小さくなって、毛やトゲを引き抜こうとすると滑ってしまったり、また大きな圧力がかかって、毛やトゲを引き抜こうとすると切れてしまうという問題点を有していた。
【０００９】
そこで、この発明は、上記従来の問題点を解決することをその課題としており、毛やトゲなどを抜こうとする場合に、毛やトゲなどを確りと挟もうとして、操作部を手指で強く押圧しすぎても、毛やトゲの挟み面積が変わることなく、毛やトゲが滑らないようにすると共に、切れないようにして、毛やトゲを確実に引き抜くことのできる挟み具を提供することを目的としてなされたものである。
【課題を解決するための手段】
【００１０】
そのため、この発明の挟み具は、曲げ変形し難い細長い一対の板状体１のそれぞれの一端を挟み部１ａとすると共に、これら板状体１のそれぞれの他端を支点部１ｂとし、これら挟み部１ａと支点部１ｂの間を操作部１ｃとし、前記挟み部１ａの内面を平面とした挟み面３とし、前記支点部１ｂの内面を平面とした当接面４とし、前記挟み面３どうしおよび当接面４どうしを重ね合わせたときに、これら挟み面３どうしおよび当接面４どうしが密着するようにし、さらに前記支点部１ｂに、前記板状体１どうしが離反する方向にバネ付勢する弾性体２を連結したものとしている。
【００１１】
そして、この発明の挟み具は、前記板状体１を弓なりに湾曲させ、前記挟み面３どうしおよび当接面４どうしを重ね合わせたときに、操作部１ｃの内面どうしが接触せず、これらの間に隙間Ｓが生じるようにしたものとしている。
【００１２】
さらに、この発明の挟み具は、前記挟み面３と当接面４を、同一平面上に設けたものとしている。
【００１３】
また、この発明の挟み具は、前記挟み面３を挟み部１ａの内面に突出させて設けると共に、前記当接面３を支点部１ｂの内面に突出させて設けたものとしている。
【００１４】
さらに、この発明の挟み具は、前記弾性体２を二枚の弾性板の一端どうしを接合して基端とし、他端どうしを開放した開放端としたものとし、これら開放端のそれぞれの両側に設けた把持片５で、前記支点部１ｂの両側に設けた側壁６を把持すると共に、前記開放端のそれぞれの先端側に設けた凹部７を、前記支点部１ｂのそれぞれの外面側に設けた凸部８に嵌め込んだものとしている。
【発明の効果】
【００１５】
この発明の挟み具は、以上に述べたように構成されているので、毛やトゲなどを抜こうとする場合に、毛やトゲなどを確りと挟もうとして、操作部を手指で強く押圧しすぎても、毛やトゲの挟み面積が変わることなく、毛やトゲが滑らないようにすると共に、切れないようにして、毛やトゲを確実に引き抜くことができるものとなる。
【００１６】
さらに、この発明の挟み具は、毛やトゲ以外の物を挟む場合にも、それらの物の挟み面積が変わることがないので、操作部を手指で強く押圧しすぎても、それらの物に傷などが付き難くなる。
【発明を実施するための最良の形態】
【００１７】
以下、この発明の挟み具を実施するための最良の形態を、図面に基づいて詳細に説明する。
【００１８】
この発明の挟み具は、曲げ変形し難い細長い一対の板状体１と、これら板状体１どうしが離反する方向にバネ付勢する弾性体２とからなり、この弾性体２を前記板状体１のそれぞれの端部に連結したものとしている。
【００１９】
前記板状体１は、例えばステンレスなどの厚手の金属板からなり、一端をそれぞれ挟み部１ａとすると共に、他端をそれぞれ支点部１ｂとし、これら挟み部１ａと支点部１ｂの間を操作部１ｃとしている。なお、この発明の挟み具において、「曲げ変形し難い」とは、使用者が必要以上の手指の力で操作部１ｃを押圧したとしても、板状体１が殆ど曲げ変形しない状態をいうものとする。
【００２０】
前記板状体１の挟み部１ａの内面は、図示したように全面を平面とした挟み面３とし、前記支点部１ｂの内面は、図示したように後方面を平面とするか、または全面を平面とした当接面４とし、操作部１ｃを押圧して挟み面３どうしおよび当接面４どうしを重ね合わせたときに、これら挟み面３どうしおよび当接面４どうしが密着するようにしている。なお、前記挟み面３と当接面４は、図示したように同一平面上に設けられたものとするのが、これらを平面加工する場合にその加工が容易となり好ましいが、同一平面上に設けられたものとしなくてもよい。また、前記支点部１ｂの当接面４の外端４ａどうしは、操作部１ｃを押圧して挟み面３どうしおよび当接面４どうしを重ね合わせる以前から、図示したように接触させておくのが、板状体１どうしの位置決めなどにおいて好ましいが、離反させたものとすることもできる。さらに、前記挟み面３の形状は、図示したものでは、角張った四角形にしているが、角が丸まった四角形や楕円形など、毛やトゲが挟み易い形状であればよく、この挟み面３の大きさは、５〜１０平方ミリメートル程度としているが、毛やトゲを挟むのに差し支えのない大きさであればよい。また、前記当接面４の形状は、図示したものでは、四角形にしているが、当接可能な面であればどのような形状でもよく、この当接面４の大きさは、５〜２０平方ミリメートル程度としているが、これより大きくすると平面加工に手間がかかり好ましくない。
【００２１】
前記板状体１は、全体的に僅かに弓なりに湾曲させたものとしており、前記挟み面３どうしおよび当接面４どうしを重ね合わせたときも、操作部１ｃの内面どうしが接触せず、これらの間に任意幅の隙間Ｓが生じるようにし、前記挟み面３どうしおよび当接面４どうしの密着性を良くするようにしている。なお、前記板状体１どうしの湾曲率は、それぞれ等しいものとするのが加工面等において容易となるので好ましいが、異なるものとしてもよい。この場合、前記板状体１どうしの湾曲率が等しいか異なるかに係わらず、前記挟み面３と当接面４は、同一平面上に設けられたものとしたり、同一平面上に設けられたものとしなくてもよいのはいうまでもない。
【００２２】
さらに、前記板状体１は、図示したように操作部１ｃの外面から内面にかけて穿孔した各種形状の孔Ｐを施したり、操作部１ｃの外面にローレット模様を施したり、または操作部１ｃの外面に着色したりして、装飾のための各種の形状、模様、色彩を付したものとすることができる。
【００２３】
また、前記板状体１の挟み面３は、挟み部１ａの内面に突出させて設けると共に、前記板状体１の当接面４も、支点部１ｂの内面に突出させて設けたものとしている。このようにすると、前記板状体１を全体的に弓なりに湾曲させたものとしなくても、操作部１ｃの内面どうしが接触せず、これらの間に任意幅の隙間Ｓが生じるようになり、前記挟み面３どうしおよび当接面４どうしの密着性が良くなる。
【００２４】
前記弾性体２は、例えばステンレスなどの薄手の一枚の弾性板を中央から折り曲げて、その折り曲げ部を基端とし、他端を任意幅、開放した開放端とするか、このような弾性板を二枚重ねにして、一端どうしを溶接するなどして接合して基端とし、他端を任意幅、開放した開放端としたものとしている。そして、このようにした弾性体２は、開放端のそれぞれを、前記板状体１のそれぞれの支点部１ｂに連結し、前記板状体１どうしが離反する方向にバネ付勢するようにしている。
【００２５】
前記弾性体２を、板状体１のそれぞれの支点部１ｂに連結するには、この弾性体２の開放端のそれぞれの両側に設けた把持片５で、前記支点部１ｂの両側に少し凹ませて設けた側壁６を把持すると共に、前記弾性体２の開放端のそれぞれの先端側に設けた凹部７を、前記支点部１ｂのそれぞれの外面側に設けた凸部８に嵌め込んだものとする。このようにすると、前記板状体１と弾性体２との連結が堅固なものとなり、この発明の挟み具は、長年の使用や頻繁な使用にも耐えることができ、耐久性に優れたものとなる。
【００２６】
以上のように構成されたこの発明の挟み具は、毛やトゲなどを抜こうとする場合には、図３、４に示した状態から、操作部１ｃを手指で押圧し、挟み部1 ａ、１ａを重ね合わせて、これら挟み部１ａ、１ａの挟み面３、３の間に毛やトゲなど挟み、この状態で引けばよい。
【００２７】
この場合に、この発明の挟み具は、毛やトゲなどを確りと挟もうとして、操作部１ｃ、１ｃのどの部分を手指で強く押圧しすぎても、板状体１が曲げ変形し難いので殆ど変形せず、図５、６に示したように、挟み面３、３の先端が開いてしまうようなことはなく、毛やトゲが挟み面３、３の全面で挟まれ、毛やトゲの挟み面積が小さくなることはないので、毛やトゲを引き抜こうとしても滑ってしまうことがなく、また大きな圧力がかかって、毛やトゲが切れてしまうようなこともなく、毛やトゲを確実に引き抜くことのできるものとなる。
【００２８】
さらに、この発明の挟み具は、前記したような毛やトゲ以外の物を挟む場合にも、それらの物の挟み面積が変わることがないので、操作部１ｃ、１ｃを手指で強く押圧しすぎても、それらの物に傷などが付き難いものとなる。
【図面の簡単な説明】
【００２９】
【図１】この発明の挟み具の一実施形態を示す斜視図である。
【図２】図１に示したこの発明の挟み具の分解斜視図である。
【図３】図１に示したこの発明の挟み具の側面図である。
【図４】図１に示したこの発明の挟み具の断面図である。
【図５】図１に示したこの発明の挟み具を閉じた状態の側面図である。
【図６】図１に示したこの発明の挟み具を閉じた状態の断面図である。
【図７】図６に示したこの発明の挟み具のＡ−Ａで囲んだ部分の拡大図である。
【図８】従来の挟み具の一例を示す断面図である。
【図９】図８に示した従来の挟み具の弾性挟み脚を把持体から外した状態の断面図である。
【図１０】従来の挟み具の他の例を示す斜視図である。
【図１１】図８に示した従来の挟み具を使用した場合の挟み面の先端状態を示す説明図である。
【図１２】図１０に示した従来の挟み具を使用した場合の挟み面の先端状態を示す説明図である。
【符号の説明】
【００３０】
１  板状体
１ａ  挟み部
１ｂ  支点部
１ｃ  操作部
２  弾性体
３  挟み面
４  当接面
５  把持片
６  側壁
７  凹部
８  凸部
Ｓ  隙間
【図１】
2010012152.tif 000003
【図２】
2010012152.tif 000004
【図３】
2010012152.tif 000005
【図４】
2010012152.tif 000006
【図５】
2010012152.tif 000007
【図６】
2010012152.tif 000008
【図７】
2010012152.tif 000009
【図８】
2010012152.tif 000010
【図９】
2010012152.tif 000011
【図１０】
2010012152.tif 000012
【図１１】
2010012152.tif 000013
【図１２】
2010012152.tif 000014